(57)【特許請求の範囲】
【請求項１】
カード型記録媒体が挿入口から挿入される収納空間と、
上記収納空間内の一方の側部に設けられて、その収納空間内に挿入された上記カード型記録媒体の先端側の一方の側部に形成されている凹部に弾性的に係合される弾性係合手段と、
上記収納空間内の奥部に配置されて、その収納空間に挿入された上記カード型記録媒体の先端で弾性に抗して押されることにより、そのカード型記録媒体の排出力がチャージされる弾性排出手段と、
上記収納空間内の一方の側部の上記弾性係合手段より上記挿入口側へ偏位された位置に形成されて、その収納空間内に挿入された上記カード型記録媒体の後端の他方の側部を一方の側部側へ押すことにより、そのカード型記録媒体の先端側を他方の側部側へシーソ状に回転させて上記凹部を上記弾性係合手段から離脱させる回転支点部とを備えた
ことを特徴とするカード型記録媒体の収納ケース。
【請求項２】
請求項１に記載のカード型記録媒体の収納ケースにおいて、
上記弾性排出手段を主としてカード型記録媒体の先端を上記凹部が上記弾性係合手段に係合される方向へ押圧する第１の板ばねと、主として上記カード型記録媒体の先端を排出方向へ押圧する第２の板ばねとによって構成した
ことを特徴とするカード型記録媒体の収納ケース。
【請求項３】
請求項１に記載のカード型記録媒体の収納ケースにおいて、
上記収納空間の挿入口内の一方の側部に設けられて、その収納空間内に挿入された上記カード型記録媒体の後端側の一方の側部を他方の側部側へ弾性的に押圧する弾性押圧手段を備えた
ことを特徴とするカード型記録媒体の収納ケース。
【請求項４】
請求項１に記載のカード型記録媒体の収納ケースにおいて、
少なくとも上記収納空間と、上記弾性係合手段と、弾性排出手段及び回転支点部が備えられた収納ケース本体と、
そのケース本体の前面に固着されるケース蓋体とを備えた
ことを特徴とするカード型記録媒体の収納ケース。
【請求項５】
請求項４に記載のカード型記録媒体の収納ケースにおいて、
上記ケース本体を合成樹脂によって成形し、上記弾性係合手段と、弾性排出手段及び回転支点部とのうちの少なくとも弾性係合手段と回転支点部を上記ケース本体に一体成形した
ことを特徴とするカード型記録媒体の収納ケース。
【請求項６】
請求項１に記載のカード型記録媒体の収納ケースにおいて、
上記収納ケースを複数個これらの左右両側面部分で分離可能に横一列状に結合する結合手段を備えた
ことを特徴とするカード型記録媒体の収納ケース。
【請求項７】
請求項１に記載のカード型記録媒体の収納ケースにおいて、
上記収納ケースを複数個これらの前後両側面部分で分離可能に平行状に結合する結合手段を備えた
ことを特徴とするカード型記録媒体の収納ケース。
【請求項８】
請求項１に記載のカード型記録媒体の収納ケースが複数個蓋付きのホルダ本体内に横一列状に収納された
ことを特徴とするカード型記録媒体の収納ケースホルダ。
【請求項９】
請求項１に記載のカード型記録媒体の収納ケースが複数個横一列状に連結された収納ケース連結部材と、
名刺等のカード類が収納可能で、かつ、上記収納ケース連結部材が開閉自在に収納されたカードケースとを備えた
ことを特徴とするカード型記録媒体の収納ケースホルダ。
【請求項１０】
請求項１に記載のカード型記録媒体の収納ケースが複数個横一列状に収納された収納ケース連結部材と、
上記収納ケース連結部材の両側面に開閉自在に取り付けられて、開状態でほぼハの字状に開いて中央部の上記収納ケース連結部材をほぼ垂直状に保持する一対のスタンド兼用の開閉蓋とを備えた
ことを特徴とするカード型記録媒体の収納ケースホルダ。
【請求項１１】
請求項１に記載のカード型記録媒体の収納ケースが複数個横一列状に収納されたホルダと、
上記ホルダの上記複数個の収納ケースの挿入口とは反対側に形成されたシステム手帳等の止め金具等への係合用の係合穴とを備えた
ことを特徴とするカード型記録媒体の収納ケースホルダ。
【請求項１２】
請求項１に記載のカード型記録媒体の収納ケースが複数個平行状で、かつ、垂直状に収納されたホルダ本体と、
上記ホルダ本体の上端に開閉自在に取り付けられた蓋とを備えた
ことを特徴とするカード型記録媒体の収納ケースホルダ。
【請求項１３】
カード型記録媒体が挿入口から挿入される収納空間と、
上記収納空間内の一方の側部に設けられて、その収納空間内に挿入された上記カード型記録媒体の先端側の一方の側部に形成されている凹部に弾性的に係合される弾性係合手段と、
上記収納空間内の奥部に配置されて、その収納空間に挿入された上記カード型記録媒体の先端で弾性に抗して押されることにより、そのカード型記録媒体の排出力がチャージされる弾性排出手段と、
上記収納空間内の一方の側部の上記弾性係合部より上記挿入口側へ偏位された位置に形成されて、その収納空間内に挿入された上記カード型記録媒体の後端の他方の側部を一方の側部側へ押すことにより、そのカード型記録媒体の先端側を他方の側部側へシーソ状に回転させて上記凹部を上記弾性係合手段から離脱させる回転支点部と、
上記収納ケース内の奥部に設けられて、上記カード型記録媒体の複数の端子が接続される複数の接続用端子とを備えた
ことを特徴とする電子機器。
【発明の詳細な説明】
【０００１】
【発明の属する技術分野】
本発明は、ＰＣＭＣＩＡ（Personal Computer Memory Card International Association）規格のＰＣカードや、スマートメディア（株式会社東芝の登録商標）、コンパクトフラッシュ（米国SanDisk Corporationの登録商標）、メモリースティック（ソニー株式会社の登録商標）等と称され、外形がほぼカード型に構成されていて、パーソナルコンピュータや電子カメラ等の電子機器に適用されて、内蔵されたメモリ回路によって、音声、映像、文字等の各種のデータを記録、再生することができるカード型記録媒体の収納ケースと、収納ケースホルダと電子機器の技術分野に属するものである。
【０００２】
【従来の技術】
従来から、この種、カード型記録媒体は、パーソナルコンピュータや電子カメラ等の電子機器と一緒に携帯されることが多く、その際、カード型記録媒体を裸のまま洋服のポケット内等に収納して携帯するのでは、そのカード型記録媒体の端子部分に塵埃等が付着して汚れや錆等を発生して、電子機器への接続時に端子の接触不良を招いたり、携帯時に端子やカード型記録媒体そのものを破損し兼ねない。
そこで、この種、カード型記録媒体を安全に携帯するための収納ケースとして、従来から、例えば、特開平７−３０８２１６号公報、特開平６−２５３９１８号公報、特開平６−１１３９１５号公報、特開平６−１１３９１３号公報等によって公開されたものが知られている。
【０００３】
そして、図２４はこの種従来のカード型記録媒体１００の収納ケース１０１の一例を示したものであって、ちょうど２つ折りの財布に似た形状に構成されていて、その収納ケース１０１の２つ折りの一方１０１ａの内側に一端が開放された袋状で小型の収納部１０３を複数個横一列状に縫製や超音波溶着等によって形成し、２つ折りの他方１０１ｂの内側に一端が開放された袋状で大型の収納部１０４を縫製や超音波溶着等によって形成したものである。
そして、この収納ケース１０１の複数の小型の収納部１０３に複数のカード型記録媒体１００を挿入して収納し、大型の収納部１０４内に名刺等のカード類１０５を挿入して収納し、この収納ケース１０１を２つ折りして洋服のポケット内等に収納して携帯するようにしたものである。
【０００４】
また、図２５はこの種従来のカード型記録媒体１００の収納ケース１０６の他の例を示したものであって、ケース本体１０６ａと開閉自在のケース蓋体１０６ｂとによって構成されていて、発泡体等で成形された位置決め用部材１０７がケース本体１０６ａ内に嵌合して両面テープ等にて固定し、この位置決め用部材１０７にカード型記録媒体１００の外形寸法により若干小さい複数の凹部１０８を横一列状に形成し、これら複数の凹部１０８の一端側の中央部にそれぞれ半円形状の切欠き部１０９を形成したものである。
そして、複数のカード型記録媒体１００を複数の凹部１０８内に発泡体等の弾性を利用して水平状に嵌合させてケース蓋体１０６ｂを閉じ、洋服のポケット内等に収納して携帯するようにしたものである。そして、各カード型記録媒体１００を各凹部１０８内から取り出す時には半円形状の切欠き部１０９内に指先を挿入して各カード型記録媒体１００を各凹部１０８内から引き出すようにしたものである。
【０００５】
【発明が解決しようとする課題】
上記のように構成された従来の収納ケース１０１、１０６によれば、一度に複数のカード型記録媒体１００を収納して携帯することができる利便性を有している反面、図２４の収納ケース１０１では、カード型記録媒体１００を指先でつまんで収納部１０３内に単に挿入したり、つまみ出したりするものであり、図２５の収納ケース１０６では、カード型記録媒体１００を凹部１０８内に単に指先で押し込んだり、引き出して取り出す程度のものであることから、これらの従来の収納ケース１０１、１０６では、カード型記録媒体１００の挿入時及び抜取り時の機械的触感に乏しく、特に、挿入されたカード型記録媒体１００の機械的係止手段が全くないので、収納ケース１０１、１０６を裏返し状態で不用意に開いた時には、カード型記録媒体１００が落下破損される等の危険性もある。
このように、従来の収納ケース１０１、１０６は、最先端の技術を用いて商品化されたカード型記録媒体１００のイメージに合わず、また、このカード型記録媒体１００の販売価格が高価であることを考えると、使用者の満足度が低いものであった。
【０００６】
本発明は、上記の問題を解決するためになされたものであって、カード型記録媒体の挿入時及び抜取り時の機械的触感が良く、特に、カード型記録媒体の収納状態での信頼性が高く、ワンタッチでカード型記録媒体を自動排出することができる等、使い勝手の非常に良いカード型記録媒体の収納ケースと収納ケースホルダと電子機器を提供することを目的としている。
【０００７】
【課題を解決するための手段】
上記の目的を達成するための本発明のカード型記録媒体の収納ケースは、カード型記録媒体が挿入口から挿入された収納空間内の一方の側部に、そのカード型記録媒体の先端側の一方の側部に形成されている凹部に弾性的に係合される弾性係合手段を設け、その収納空間内に挿入されたカード型記録媒体の先端で弾性に抗して押されることによりカード型記録媒体の排出力がチャージされる弾性排出手段をその収納空間内の奥部に設け、その空間内に挿入されて凹部が弾性係合手段に係合されているカード型記録媒体の後端の他方の側部を一方の側部側へ押すことによって、そのカード型記録媒体をシーソ状に回転して凹部を弾性係合手段から離脱させる回転支点部を収納空間内の一方の側部の弾性係合手段より挿入口側へ偏位された位置に形成したものである。
【０００８】
上記のように構成された本発明のカード型記録媒体の収納ケースは、カード型記録媒体を挿入口から収納空間内に挿入すると、弾性係合手段がカード型記録媒体の一方の側部の凹部に弾性的に係合されて、この時にクリック感が発生する。そして、その挿入されたカード型記録媒体の先端で弾性排出手段が弾性に抗して押されてカード型記録媒体の排出力がチャージされる。そして、カード型記録媒体を挿入口から抜き取る時には、カード型記録媒体の後端の他方の側部を指で一方の側部側へ押すと、カード型記録媒体が回転支点部を中心にシーソ状に回転して凹部が弾性係合手段から離脱し、弾性排出手段にチャージされている排出力によってカード型記録媒体を挿入口からポップアップ方式で自動的に飛び出させることができる。
【０００９】
【発明の実施の形態】
以下、本発明を適用したカード型記録媒体の収納ケースと、収納ケースホルダと電子機器の実施の形態を図１〜図２３を参照して以下の順序で説明する。
（１）  ・・・  カード型記録媒体の説明（図７）
（２）  ・・・  収納ケースの第１の実施形態の説明（図１〜図６）
（３）  ・・・  収納ケースの第２の実施形態の説明（図８）
（４）  ・・・  収納ケースの第３の実施形態の説明（図９）
（５）  ・・・  収納ケースの第４の実施形態の説明（図１０）
（６）  ・・・  収納ケースの第５の実施形態の説明（図４〜図６及び図１１）
（７）  ・・・  収納ケースの第６の実施形態の説明（図１２）
（８）  ・・・  収納ケースホルダの第１の実施形態の説明（図１３及び図１４）
（９）  ・・・  収納ケースホルダの第２の実施形態の説明（図１５及び図１６）
（１０）  ・・  収納ケースホルダの第３の実施形態の説明（図１７及び図１８）
（１１）  ・・  収納ケースホルダの第４の実施形態の説明（図１９）
（１２）  ・・  収納ケースホルダの第５の実施形態の説明（図２０及び図２１）
（１３）  ・・  収納ケースがセットされた電子機器の実施形態の説明（図２２及び図２３）
【００１０】
（１）  ・・・  カード型記録媒体の説明
まず、図７によって、カード型記録媒体について説明すると、メモリスティック等のカード型記録媒体１は、ちょうど、嗜好品のガム形状に類似した扁平な長方体形状のほぼカード型に構成されている。そして、このカード型記録媒体１の先端１ａの下面１ｂに電子機器への挿入及び抜取り方向である矢印ａ、ｂ方向に対して直交する方向に等間隔に配置されたほぼ短冊形状の複数の端子２が設けられていて、その複数の端子２間は薄い複数のリブ３によって仕切られている。そして、複数の端子２のうちの、左右両側の端子がアーム用端子に構成されて、他の複数の端子２が信号用端子に構成されている。そして、挿入方向（矢印ａ方向）から見て、このカード型記録媒体１の左側面であって、一方の側部である一方の側面１ｃの先端１ａには誤挿入防止用のＲ面４が形成され、このカード型記録媒体１の下面１ｂの先端１ａでＲ面４の下部相当位置には誤挿入防止用の段差部５が形成されている。そして、このカード型記録媒体１の下面で、一方の側面１ｃの先端１ａ側寄りの位置にはほぼ半円形状のロック用凹部６が形成されている。そして、このカード型記録媒体１の下面１ｂで先端１ａ側寄りの位置にはライトプロテクター７が取り付けられていて、このカード型記録媒体１の上下両面１ｄ、１ｂにはその後端１ｅを迂回するような浅い凹みであるラベル貼付けエリア８が形成されている。そして、挿入方向（矢印ａ方向）から見て、このカード型記録媒体１の右側面が他方の側部である他方の側面１ｆに構成されている。
【００１１】
（２）  ・・・  収納ケースの第１の実施形態の説明
次に、図１〜図６によって、収納ケースの第１の実施形態について説明すると、この収納ケース１１は、ＡＢＳ、ポリアセタール、ポリプロピレン等の合成樹脂にて成形されたケース本体１２と、ポリプロピレン、ポリエチレンテレフタレート、ポリスチレン等の合成樹脂のシート材等で構成されたケース蓋体１３とによって扁平状に構成されていて、ケース本体１２内に扁平状に形成された収納空間１４及びその上端側に開口されたスリット状の挿入口１５の前面１２ａ側をケース蓋体１３で密封するように構成されている。なお、収納空間１４の奥部１６は閉塞されていて、その奥部１６の最奥位置には挿入口１５に対向されたストッパー壁１６ａが一体成形されている。なお、このストッパー壁１６ａはカード型記録媒体１の先端１ａ及びＲ面４と平行な直線面とＲ面とを有している。この際、ケース本体１２の前面１２ａの四隅に一体成形した溶着用ダボ１７にケース蓋体１３の四隅に形成したダボ穴１８を嵌合させて、これら四隅の溶着用ダボ１７の先端部分を超音波溶着等にて溶着することによってケース蓋体１３をケース本体１２の前面１２ａに固着することもできるが、両面テープや接着剤等によってケース蓋体１３をケース本体１２の前面１２ａに固着することもできる。
【００１２】
そして、ケース本体１２の収納空間１４内の一方の側面１４ａのほぼ中央部には、弾性係合手段を構成している弾性係合爪２１がカード型記録媒体１の挿入方向側である矢印ａ方向側に向けて一体成形されていて、一方の側部１４ａで弾性係合爪２１より挿入口１５側に偏位された位置にはカード型記録媒体１の回転支点部２２とカード型記録媒体１に対する逃げ用の凹所２３であるほぼ三角形状の空間が一体成形されている。なお、ケース本体１２の弾性係合爪２１に対する背面相当位置にはその弾性係合爪２１を一体成形するためのアンダーカット用の穴２４が形成されるが、その穴２４はシール等にて密封できる。
【００１３】
そして、この収納空間１４の奥部１６には弾性排出手段を構成している第１、第２の板ばね２６、２７が取り付けられている。なお、これら第１、第２の板ばね２６、２７はこれらのＬ型固定端２６ａ、２７ａをケース本体１２に一体成形したＬ型係止溝２８、２９内に嵌合させて、ケース本体１２の前面１２ａに固着したケース蓋体１３で押え込むことによってケース本体１２に固定されている。
【００１４】
そして、第１の板ばね２６の固定端２６ａは収納空間１４の他方の側部１４ｂ側で、かつ、挿入口１５側へ偏位された位置に固定されていて、この第１の板ばね２６の奥部１６側へ斜め方向に延出された可動端２６ｂがほぼＬ型に屈曲されている。そして、その可動端２６ｂにはほぼ中間部に形成された第１の直角状屈曲部２６ｃと、先端側に一定間隔を隔てて形成された第２の直角状屈曲部２６ｄが形成されていて、この可動端２６ｂは矢印ｃ、ｄ方向に弾性変位することができるように構成されている。そして、この第１の板ばね２６は主としてカード型記録媒体１の先端１ａを後述するように収納空間１４内の一方の側部１４ａ側である矢印ｇ方向側へ弾性的に押圧するための板ばねに構成されている。
【００１５】
そして、第２の板ばね２７の固定端２７ａは収納空間１４の奥部１６のストッパー壁１６ａより更に奥位置で、かつ、一方の側部１４ａ側へ偏位された位置に固定されていて、この第２の板ばね２７の可動端２７ｂは収納空間１４の他方の側部１４ｂ側で、かつ、ストッパー壁１６ａより挿入口１５側へ斜め方向に延出されていて、この可動端２７ｂがほぼ広角のＶ型に屈曲されている。そして、この第２の板ばね２７の可動端２７ｂは第１の板ばね２６の可動端２６ｂに左右方向においてオーバーラップＯＶする位置まで延出されていて、この可動端２７ｂは矢印ｅ、ｆ方向に弾性変位することができるように構成されている。そして、この第２の板ばね２７は主としてカード型記録媒体１の先端１ａを後述するように排出方向である矢印ｂ方向側へ弾性的に押圧するための板ばねに構成されている。なお、収納空間１４の奥部１６で他方の側部１４ｂ側には第１、第２の板ばね２６、２７の可動端２６ｂ、２７ｂに対する逃げ用の凹所３０が形成されている。なお、第１、第２の板ばね２６、２７はケース本体１２に一体成形した合成樹脂製の板ばねに構成することもできる。
【００１６】
この収納ケース１１の第１の実施形態は以上のように構成されていて、収納ケース１１に対するカード型記録媒体１の挿入操作及び抜取り操作は次の要領で行われる。
まず、収納ケース１１内のカード型記録媒体１の挿入開始前の状態では、第１及び第２の板ばね２６、２７の可動端２６ｂ、２７ｂがそれぞれ自身のばね力によって図３に示す位置まで矢印ｃ、ｅ方向に変位されている。
【００１７】
次に、収納ケース１１内へのカード型記録媒体１の挿入時には、カード型記録媒体１の後端１ｅを指先でつまんで、そのカード型記録媒体１の下面１ｅをケース本体１２側に向け、上面１ｄをケース蓋体１３側に向けた正しい姿勢（正しい向き）で、その先端１ａ側からカード型記録媒体１を挿入口１５を通して収納空間１４内に矢印ａ方向に挿入する。そして、カード型記録媒体１を収納空間１４内の図１に１点鎖線で示す位置まで矢印ａ方向に挿入した時に、カード型記録媒体１の先端１ａと他方の側面１ｆとのコーナ部分１ｇが第１の板ばね２６の可動端２６ｂの第１の直角状屈曲部２６ｃに当接する。
【００１８】
そして、引き続き、カード型記録媒体１の先端１ａを収納空間１４内の奥部１６まで矢印ａ方向に挿入すると、図１に実線で示すように、そのカード型記録媒体１の先端１ａのコーナ部分１ｇで第１の板ばね２６の可動端２６ｂがばね力に抗して矢印ｄ方向に弾性変位（撓むこと）され、その可動端２６ｂのばね力によってカード型記録媒体１の先端１ａには主として矢印ｇ方向への押圧力である側圧が作用する。この時、第１の板ばね２６の可動端２６ｂの先端が第２の板ばね２７の可動端２７ｂの先端に当接されて、その可動端２７ｂもばね力に抗して矢印ｆ方向に弾性変位（撓むこと）される。そして、この第２の板ばね２７の可動端２７ｂは第１の板ばね２６の可動端２６ｂの先端を介してカード型記録媒体１の先端１ａに主として矢印ｂ方向への押圧力を作用することになる。そして、これら第１、第２の板ばね２６、２７にカード型記録媒体１の矢印ｂ方向への排出力がチャージされることになる。
【００１９】
そして、図１に実線で示すように、カード型記録媒体１の先端１ａが収納空間１４内の正規の位置まで矢印ａ方向に完全に挿入された瞬間に、弾性係合爪２１がカード型記録媒体１の凹部６内に軽い衝撃を伴って弾性的に係合され、この時にクリック感が発生する。そして、弾性係合爪２１が凹部６内に係合されるのとほぼ同時に、カード型記録媒体１の先端１ａのコーナ部分１ｇが第１の板ばね２６の可動端２６ｂの第２の直角状屈曲部２６ｄに入り込んで安定される。
即ち、カード型記録媒体１の先端１ａのコーナ部分１ｇが第１の板ばね２６の可動端２６ｂの第２の直角状屈曲部２６ｄ内に入り込むことによって、第１、第２の板ばね２６、２７の可動端２６ｂ、２７ｂのばね力の合力によってカード型記録媒体１の先端１ａに矢印ｇ方向の側圧と、矢印ｂ方向の排出力が作用し、カード型記録媒体１の凹部６が弾性係合爪２１に矢印ｇ方向から深く係合されて、その弾性係合爪２１によってカード型記録媒体１の矢印ｂ方向への排出が禁止され、更に、その矢印ｇ方向への側圧によって発生する矢印ｈ方向の反力によってカード型記録媒体１の他方の側面１ｆが収納空間１４の他方の側面１４ｂに矢印ｈ方向から押圧されて、カード型記録媒体１が収納空間１４内に安定良くロック（保持されること）されることになる。そして、この状態で、カード型記録媒体１の全長の殆んどが収納空間１４内に収納され、後端１ｅ側の一部が挿入口１５外に突出された状態になる。
【００２０】
このように、カード型記録媒体１の先端１ａを矢印ａ方向から収納空間１４内の正規の位置まで完全に挿入することにより、弾性係合爪２１がカード型記録媒体１の凹部６に弾性的に係合する際にクリック感が発生することから、使用者はそのクリック感である機械的触感によって、収納空間１４内へのカード型記録媒体１の挿入完了、即ち、収納完了状態を実感することができるので、収納ケース１１内へのカード型記録媒体１の収納操作を確実に、かつ、安心して行える。
そして、その収納完了状態では、弾性係合爪２１がカード型記録媒体１の凹部６内に奥深く係合してカード型記録媒体１をロックしているので、カード型記録媒体１が挿入口１５から矢印ｂ方向に排出されることが全くない。即ち、この収納状態でカード型記録媒体１の後端１ｅを指先でつまんで矢印ｂ方向に不用意に引っ張るようなことがあっても、カード型記録媒体１を抜き取ることができず、カード型記録媒体１を収納空間１４内に安全にロックしておくことができ、カード型記録媒体１の収納状態の高い信頼性が得られる。
【００２１】
次に、カード型記録媒体１の抜取り時には、図２に示すように、挿入口１５外に突出されているカード型記録媒体１の後端１ｅの他方の側面１ｆを一方の側面１ｃ側である矢印ｉ方向に指先で軽く押すと、カード型記録媒体１の一方の側面１ｃのほぼ中間位置が回転支点部２２に押圧されて、このカード型記録媒体１がその回転支点部２２を中心に矢印ｉ、ｊ方向にシーソ状に回転される。そして、カード型記録媒体１の先端１ａが収納空間１４内で矢印ｊ方向へ回転して、その凹部６が弾性係合爪２１から矢印ｊ方向に離脱する。
【００２２】
そして、カード型記録媒体１の後端１ｅの側面１ｆを矢印ｉ方向に押した指先をその側面１ｆから離した瞬間に、図３に示すように、第１、第２のばね２６、２７の可動端２６ｂ、２７ｂがこれらのばね力によって矢印ｃ、ｅ方向に弾性復帰（撓むこと）され、これらのばね力の合力によってカード型記録媒体１が収納空間１４内から矢印ｂ方向にポップアップ方式で排出（押し出されること）される。従って、使用者は指先でカード型記録媒体１の後端１ｅの他方の側面１ｆを矢印ｉ方向に軽く押すだけのワンタッチ操作を行うだけで、カード型記録媒体１を収納空間１４内から矢印ｂ方向にポップアップ方式で自動的に飛び出させることができ、その後は、押し出されたカード型記録媒体１の後端１ｅを指先でつまんで矢印ｂ方向に軽く引き抜くだけで良いことから、使い勝手が非常に良いものである。
【００２３】
（３）  ・・・  収納ケースの第２の実施形態の説明
次に、図８によって、収納ケースの第２の実施形態について説明すると、この収納ケース１１は、収納空間１４の一方の側面１４ａ側で、回転支点部２２より挿入口１５側に偏位された位置に、弾性押圧手段である第３のばね部３２を設けたものであり、この第３のばね部３２はケース本体１２に一体成形するか、又は、板ばねで構成してケース本体１２に嵌合させて固定することができる。
【００２４】
そして、このように、第３のばね部３２を設けることによって、収納空間１４内へのカード型記録媒体１の矢印ａ方向への挿入時に、その第３のばね部３２でカード型記録媒体１の一方の側面１ｃを矢印ｈ方向に押圧して、カード型記録媒体１の他方の側面１ｆを収納空間１４内の他方の側部１４ｂに押圧させながらスムーズに挿入することができ、その挿入時に、カード型記録媒体１が矢印ｉ方向に傾き難くなることから、凹部６内への弾性係合爪２１の係合を確実に行えて、その係合時にクリック感をより一層確実に発生することができる。そして、収納空間１４内に挿入完了されたカード型記録媒体１の矢印ｉ、ｊ方向のガタつきをその第３のばね部３２で防止することができるので、凹部６内への弾性係合爪２１の係合状態を高安定に保つことができて、振動等によってカード型記録媒体１が矢印ｉ、ｊ方向にガタついて凹部６に対する弾性係合爪２１の係合が外れ、カード型記録媒体１が不用意に矢印ｂ方向に排出されることを未然に防止することができる。また、カード型記録媒体１の後端１ｅの他方の側面１ｆを指先で矢印ｉ方向に押して、凹部６を弾性係合爪２１から離脱し、カード型記録媒体１を挿入口１５外へ矢印ｂ方向に自動排出する際にも、その第３のばね部３２で適度な負荷を指先に付与することができて、操作上のィーリングが向上する。
【００２５】
（４）  ・・・  収納ケースの第３の実施形態の説明
次に、図９によって、収納ケースの第３の実施形態について説明すると、この収納ケース１１はカード型記録媒体１の矢印ｂ方向への弾性排出手段を第１の板ばね２６のみで構成して、第２の板ばね２７を省略したものである。この場合、第１の板ばね２６の板厚を厚くする等して、この第１の板ばね２６のばね力を増大させることによって、第２の板ばね２７を省略して、部品点数及び組立工数の削減による低コスト化を促進できる。
【００２６】
（５）  ・・・  収納ケースの第４の実施形態の説明
次に、図１０によって、収納ケースの第４の実施形態について説明すると、この収納ケース１１はカード型記録媒体１の矢印ｂ方向への弾性排出手段を第２の板ばね２７のみで構成して、第１の板ばね２６を省略したものである。この場合、第２の板ばね２７の板厚を厚くする等して、この第２の板ばね２７のばね力を増大させることによって、第１の板ばね２６を省略して、部品点数及び組立工数の削減による低コスト化を促進できる。また、この場合には、カード型記録媒体１のコーナ部分１ｇに係合される直角状屈曲部２２ｃを第２の板ばね２７の可動端２７ｂのほぼ中間部分に形成しておくのが好ましい。
【００２７】
（６）  ・・・  収納ケースの第５の実施形態の説明
次に、図４〜図６及び図１１によって、収納ケースの第５の実施形態について説明すると、この収納ケース１１は左右両側面１１ａ、１１ｂに結合手段である例えばありつぎ構造のための各一対の鳩尾状凸部３４と鳩尾状凹部３５を一体成形し、複数の収納ケース１１をこれら各一対の鳩尾状凸部３４と鳩尾状凹部３５の嵌合によって左右両側面１１ａ、１１ｂ部分で横一列状に結合、分離可能に結合させたものである。
このように、複数の収納ケース１１を結合すれば、収納ケース１１がバラバラにならず、携帯性が向上する。
【００２８】
（７）  ・・・  収納ケースの第６の実施形態の説明
次に、図１２によって、収納ケースの第６の実施形態について説明すると、この収納ケース１１は前後両側面１１ｃ、１１ｄの左右両端部分に結合手段であるありつぎ構造のための各一対の鳩尾状凸部３６と鳩尾状凹部３７を一体成形し、複数の収納ケース１１をこれら各一対の鳩尾状凸部３６と鳩尾状凹部３７の嵌合によって前後両側面１１ｃ、１１ｄ部分で平行状に結合、分離可能に結合させたものである。
このように、複数の収納ケース１１を結合すれば、収納ケース１１がバラバラにならず、携帯性が向上する。
【００２９】
（８）  ・・・  収納ケースホルダの第１の実施形態の説明
次に、図１３及び図１４によって、収納ケースホルダの第１の実施形態について説明すると、この収納ケースホルダ４１は、例えば、ほぼ名刺サイズの扁平状のホルダ本体４２内に、前述した収納ケース１１を例えば３個、横一列状に収納し、そのホルダ本体４２に取り付けられた蓋４３で３個の収納ケース１１の挿入口１５側及びこれらの収納ケース１１内にそれぞれ収納されている３個のカード型記録媒体１の後端１ｅ側を同時に開閉できるように構成したものである。なお、蓋４３に設けた左右一対のアーム部４４の先端をホルダ本体４２の左右両側部に形成した左右一対のガイド溝４５内にスライド自在及び回動自在に係合させている。
そして、図１４に示すように、蓋４３を開いた状態で、３個の収納ケース１１の挿入口１５からこれらの収納ケース１１内に３個のカード型記録媒体１を前述したように矢印ａ方向から挿入して収納した後、図１３に示すように、蓋４３を矢印ｋ、ｍ方向に閉じて、３個の収納ケース１１の挿入口１５側及び３個のカード型記録媒体１の後端１ｅ側を同時に閉塞して、この収納ケースホルダ４１によって３個の収納ケース１１及び３個のカード型記録媒体１を密封状態で携帯できるようにしたものである。
【００３０】
この収納ケースホルダ４１によれば、複数個（例えば３個）の収納ケース１１及びカード型記録媒体１の携帯性及び防塵性が高く、複数個のカード型記録媒体１を安全に携帯することができる。なお、各収納ケース１１内に収納されている各カード型記録媒体１を取り出す時には、図１４に示すように、蓋４３を矢印ｎ、ｏ方向に開き、前述したように、各カード型記録媒体１の後端１ｅを矢印ｉ方向に軽く押せば、ポップアップ方式で各カード型記録媒体１を収納ケース１１内から矢印ｂ方向に自動的に飛び出させることができる。
【００３１】
（９）  ・・・  収納ケースホルダの第２の実施形態の説明
次に、図１５及び図１６によって、収納ケースホルダの第２の実施形態について説明すると、この収納ケースホルダ４１は、前述した収納ケース１１が例えば３個、横一列状に連結された例えばほぼ名刺サイズの収納ケース連結部材５１を、名刺等のカード類５２と一緒に、例えば、ほぼ名刺サイズに形成されているカードケース５３内に収納して携帯できるようにしたものである。なお、カードケース５３はケース本体５４と、そのケース本体５４にヒンジ５５によって矢印ｐ、ｑ方向に開閉自在に構成されたケース蓋体５６とによって構成されている。そして、図１６に示すように、収納ケース連結部材５１及びそれに３個のカード型記録媒体１を収納した状態で、その収納ケース連結部材５１とカード類５２を一緒にカードケース５３内に収納した状態で、図１５に示すように、ケース蓋体５６をケース本体５４上に矢印ｑ方向に閉じた時に、蓋ロック機構５７でケース蓋５６をケース本体５４にロックして携帯時の安全性が高く構成されている。
そして、この収納ケースホルダ４１の第２の実施形態も第１の実施形態と同様に、複数個（例えば３個）の収納ケース１１及びカード型記録媒体１の携帯性及び防塵性が高く、複数個のカード型記録媒体１を安全に携帯することができる。なお、各収納ケース１１内に収納されている各カード型記録媒体１を取り出す時には、図１６に示すように、ケース蓋体５２を矢印ｐ方向に開き、前述したように、各カード型記録媒体１の後端１ｅを矢印ｉ方向に軽く押せば、ポップアップ方式で各カード型記録媒体１を収納ケース１１内から矢印ｂ方向に自動的に飛び出させることができる。
【００３２】
（１０）  ・・・  収納ケースホルダの第３の実施形態の説明
次に、図１７及び図１８によって、収納ケースホルダの第３の実施形態について説明すると、この収納ケースホルダ４１は、前述した収納ケース１１が例えば３個、横一列状に連結されたほぼ名刺サイズの収納ケース連結部材５１の前側両側に前後一対のスタンド兼用の開閉蓋６１、６２を開閉自在に取り付けたものである。なお、前後一対の開閉蓋６１、６２はそれぞれ左右各一対のアーム部６３、６４の先端を収納ケース連結部材５１の左右両側に形成した左右一対のガイド溝６５内にスライド自在に及び回動自在に係合させている。
そして、図１８に示すように、前後一対の開閉蓋６１、６２を対称方向である矢印ｒ方向にほぼハの字状（対称状であること）に開き、これら前後一対の開閉蓋６１、６２にスタンド機能を持たせて、収納ケース連結部材５１をほぼ垂直状に保持する。そして、３個の収納ケース１１の挿入口１５からこれらの収納ケース１１内に３個のカード型記録媒体１を前述したように矢印ａ方向から挿入して収納した後、図１７に示すように、前後一対の開閉蓋６１、６２を矢印ｓ方向に閉じて、３個の収納ケース１１の挿入口１５側及び３個のカード型記録媒体１をその前後一対の開閉蓋６１、６２内に収納して、蓋ロック機構６６によって前後一対の開閉蓋６１、６２をロックする。そして、この収納ケースホルダ４１によって３個の収納ケース１１及び３個のカード型記録媒体１を密封する状態で携帯できるようにしたものである。
【００３３】
この収納ケースホルダ４１の第３の実施形態によれば、第１、第２の実施形態と同様に、複数個（例えば３個）の収納ケース１１及びカード型記録媒体１の携帯性及び防塵性が高く、複数個のカード型記録媒体１を安全に携帯することができる。なお、各収納ケース１１内に収納されている各カード型記録媒体１を取り出す時には、図１８に示すように、前後一対の開閉蓋６１、６２をほぼハの字状に開いて収納ケース連結部材５１をほぼ垂直状に保持し、前述したように、各カード型記録媒体１の後端１ｅを矢印ｉ方向に軽く押せば、ポップアップ方式で各カード型記録媒体１を収納ケース１１内から矢印ｂ方向に自動的に飛び出させることができる。
【００３４】
（１１）  ・・・  収納ケースホルダの第４の実施形態の説明
次に、図１９によって、収納ケースホルダの第４の実施形態について説明すると、この収納ケースホルダ４１は、例えば、システム手帳のリフィールの大きさに構成されたホルダ７１に例えば６個の収納ケース１１を横一列状に収納し、これらの収納ケース１１の挿入口１５側とは反対側であるホルダ７１の端部７１ａに沿ってシステム手帳の止め金具７２への係合用の複数の係合穴７３を一列状に形成したものである。
【００３５】
そして、この収納ケースホルダ４１によれば、複数個（例えば６個）の収納ケース１１をホルダ７１によってシステム手帳の他のリフィールと一緒に止め金具７３に脱着可能に係止して携帯することができて、携帯性を高くすることができる。そして、各収納ケース１１に対する各カード型記録媒体１の収納及び取り出し操作は前述同様に便利に行うことができて、使い勝手が良いものである。
【００３６】
（１２）  ・・・  収納ケースホルダの第５の実施形態の説明
次に、図２０及び図２１によって、収納ケースホルダの第５の実施形態について説明すると、この収納ケースホルダ４１は、例えば、図２１に示すように、ほぼジッポータイプのライターサイズのホルダ本体８１の内部に例えば２個の収納ケース１１を前後に平行状に並べて垂直状に収納し、これら２個の収納ケース１１の上端の挿入口１５から２個のカード型記録媒体１を上方から矢印ａ方向に垂直状に挿入して収納し、ホルダ本体８１の上端にヒンジ８２を介して矢印ｔ、ｕ方向に開閉自在に取り付けたホルダ蓋体８３を図２０に示すように矢印ｔ方向に閉じて蓋ロック機構８４でホルダ本体８１にロックして、２個の収納ケース１１内に収納されている２個のカード型記録媒体１の上端である後端１ｅを密封して携帯できるようにしたものである。
そして、３個の収納ケース１１の挿入口１５からこれらの収納ケース１１内に３個のカード型記録媒体１を前述したように矢印ａ方向から挿入して収納した後、図２０に示すように、蓋４３を矢印ｋ、ｍ方向に閉じて、３個の収納ケース１１の挿入口１５側及び３個のカード型記録媒体１の後端１ｅ側を同時に閉塞して、この収納ケースホルダ４１によって３個の収納ケース１１及び３個のカード型記録媒体１を密封状態で携帯できるようにしたものである。
【００３７】
この収納ケースホルダ４１によれば、複数個（例えば２個）の収納ケース１１及びカード型記録媒体１の携帯性及び防塵性が高く、複数個のカード型記録媒体１を安全に携帯することができる。なお、各収納ケース１１内に収納されている各カード型記録媒体１を取り出す時には、図２１に示すように、ホルダ蓋体８３を矢印ｕ方向に開き、前述したように、各カード型記録媒体１の後端１ｅを矢印ｉ方向に軽く押せば、ポップアップ方式で各カード型記録媒体１を収納ケース１１内から矢印ｂ方向に自動的に飛び出させることができる。
【００３８】
（１３）  ・・・  収納ケースがセットされた電子機器の説明
次に、図２２及び図２３によって、収納ケースがセットされた電子機器について説明すると、この実施の形態では、パーソナルコンピュータや電子カメラ等の電子機器９１内に収納ケース１１を取り付け、ケース本体１２の収納空間１４内で、ケース蓋体１３とは反対側の面に複数の接続用端子９２をカード型記録媒体１の複数の端子２に対向させた平行状に配置し、これら複数の接続用端子９２の固定端９２ａをプリント配線基板９３の複数の配線パターン上に半田付けしたものである。
【００３９】
そして、図２３の（Ａ）（Ｂ）に示すように、カード型記録媒体１をその先端１ａ側から収納ケース１１の挿入口１５を通して収納空間１４内に矢印ａ方向に挿入すると、前述したように、そのカード型記録媒体１が収納空間１４内にロックされ、これと同時に、そのカード型記録媒体１の複数の端子２がプリント配線基板９３の複数の接続用端子９２の可動端９２ｂに接触されて、このカード型記録媒体１が電子機器９１に電気的に接続される。そして、電子機器９１によってこのカード型記録媒体１に音声、映像、文字等の各種のデータの記録、再生を行うことができる。
なお、このデータの記録、再生後に、カード型記録媒体１を収納空間１４内から抜き取る際には、前述したように、カード型記録媒体１の後端部１ｅを図２２で矢印ｉ方向に軽く押せば、このカード型記録媒体１をポップアップ方式で矢印ｂ方向に自動的に飛び出させることができる。
【００４０】
そして、この実施の形態によれば、電子機器９１に対するカード型記録媒体１の挿入とロック操作及びロック解除と排出操作をワンタッチで簡単、かつ、確実に行える利便性を得ることができる。
【００４１】
以上、本発明の実施の形態について説明したが、本発明は上記した実施の形態に限定されることなく、本発明の技術的思想に基づいて各種の変更が可能である。
【００４２】
【発明の効果】
以上のように構成された本発明のカード型記録媒体の収納ケースと、収納ケースホルダと電子機器は、次のような効果を奏することができる。
【００４３】
請求項１のカード型記録媒体の収納ケースは、カード型記録媒体を挿入口から収納空間内に挿入して、弾性係合手段をカード型記録媒体の一方の側部の凹部に弾性的に係合させる時にクリック感を発生させるようにし、その挿入されたカード型記録媒体の先端で弾性排出手段が弾性に抗して押されてカード型記録媒体の排出力がチャージされるようにし、カード型記録媒体を挿入口から排出する時には、カード型記録媒体の後端の他方の側部を指で一方の側部側へ押して、カード型記録媒体を回転支点部を中心にシーソ状に回転して凹部が弾性係合手段から離脱することによって、弾性排出手段にチャージされている排出力によってカード型記録媒体を挿入口からポップアップ方式で自動的に飛び出させることができるようにしたので、カード型記録媒体を収納空間内に挿入する際には、その挿入されたカード型記録媒体を弾性係合手段によってその収納空間内に確実にロックして保持させることができる上に、その弾性係合手段によるカード型記録媒体のロック時に発生するクリック感による機械的触感によって、収納空間内に収納されたカード型記録媒体のロックを使用者が明確に認識することができる。そして、カード型記録媒体を収納空間外へ排出する際には、カード型記録媒体の後端を一方の側部側へ押すだけのワンタッチ操作で、弾性係合手段によるロックを解除し、弾性排出手段にチャージされている排出力によってカード型記録媒体を挿入口外へポップアップ方式で簡単に自動的に飛び出させることができる。従って、カード型記録媒体の挿入時及び排出時の機械的触感が良く、特に、カード型記録媒体の収納状態での信頼性が高い等、使い勝手が非常に良い収納ケースを提供することができる。
【００４４】
請求項２のカード型記録媒体の収納ケースは、カード型記録媒体の排出力がチャージされる弾性排出手段に、主としてカード型記録媒体の先端を凹部が弾性係合手段に係合される方向へ押圧する第１の板ばねと、主としてカード型記録媒体の先端を排出方向へ押圧する第２の板ばねとによって構成したので、カード型記録媒体を収納空間内に挿入する際の凹部に弾性係合手段を係合させる動作及びその時のクリック感の発生を確実に行えると共に、カード型記録媒体を収納空間外へ排出する排出力も確実に得ることができて、カード型記録媒体の挿入ロックと、ポップアップ方式の自動飛出し動作を確実に行えて、高い信頼性を得ることができる。
【００４５】
請求項３のカード型記録媒体の収納ケースは、収納空間の挿入口内の一方の側部に挿入されるカード型記録媒体の後端側の一方の側部を他方の側部側へ弾性的に押圧する弾性押圧手段を設けたので、収納空間内に挿入されたカード型記録媒体の先端をこの弾性押圧手段によって弾性係合手段側へ押圧付勢することができて、その弾性係合手段への凹部の係合を確実に行え、その時のクリック感も確実に発生させることができる。しかも、カード型記録媒体の排出時に、カード型記録媒体の後端を一方の側部側へ押す際に、その弾性押圧手段によって適度な抵抗感が得られることから、操作のフィーリングも向上する。
【００４６】
請求項４のカード型記録媒体の収納ケースは、少なくとも収納空間と、弾性係合手段と、弾性排出手段及び回転支点部が備えられた収納ケース本体と、そのケース本体の前面に固着されるケース蓋体とによって構成したので、この収納ケースの加工及び組立てが容易であり、収納ケースを安価に製造できる。
【００４７】
請求項５のカード型記録媒体の収納ケースは、ケース本体を合成樹脂によって成形し、その際、弾性係合手段と、弾性排出手段及び回転支点部のうちの少なくとも弾性係合手段と回転支点部をそのケース本体に一体成形したので、部品点数及び組立工数を削減できて、収納ケースを安価に製造できる。
【００４８】
請求項６及び請求項７のカード型記録媒体の収納ケースは、複数個の収納ケースを結合手段によって横一列状や平行状に結合できるようにしたので、複数個のカード型記録媒体を一緒に携帯することができて、その携帯性が向上する。
【００４９】
請求項８、請求項９、請求項１０、請求項１１及び請求項１２のカード型記録媒体の収納ケースホルダは、複数の収納ケースを連結又は収納し、蓋等して密封して携帯したり、システム手帳に組み付けて携帯することができて、携帯性や防塵性が高く、外装部品であるホルダの形状や機能によって各種のバリエーションの収納ケースホルダを提供することができる。
【００５０】
請求項１３の電子機器は、請求項１の機能を備えた収納ケース内にカード型記録媒体を挿入した時に、そのカード型記録媒体の端子を電子機器側の複数の接続用端子に接続させるようにしたので、電子機器内に挿入したカード型記録媒体を確実にロックして保持し、その際に発生するクリック感で、カード型記録媒体のロックを使用者が明確に認識することができ、カード型記録媒体を電子機器外に抜き取る際も、ワンタッチで、カード型記録媒体をポップアップ方式で自動的に飛び出させることができて、電子機器に対するカード型記録媒体の挿入及び排出の操作性を著しく向上させることができる。
【図面の簡単な説明】
【図１】本発明を適用したカード型記録媒体の収納ケースの第１の実施形態を説明する収納空間内へのカード型記録媒体の挿入ロック状態を説明するケース蓋体を除去した状態の正面図である。
【図２】同上のカード型記録媒体の収納ケースの第１の実施形態におけるカード型記録媒体の排出操作の開始を説明するケース蓋体を除去した状態の正面図である。
【図３】同上のカード型記録媒体の収納ケースの第１の実施形態におけるカード型記録媒体の排出操作の終了を説明するケース蓋体を除去した状態の正面図である。
【図４】同上のカード型記録媒体の収納ケースの第１の実施形態を説明するケース本体の斜視図である。
【図５】同上のカード型記録媒体の収納ケースの第１の実施形態を説明する分解斜視図である。
【図６】同上のカード型記録媒体の収納ケースの第１の実施形態を説明する組立て完了状態の斜視図である。
【図７】カード型記録媒体の上面視状態及び下面視状態の斜視図である。
【図８】同上のカード型記録媒体の収納ケースの第２の実施形態を説明するケース蓋体を除去した状態の正面図である。
【図９】同上のカード型記録媒体の収納ケースの第３の実施形態を説明するケース蓋体を除去した状態の正面図である。
【図１０】同上のカード型記録媒体の収納ケースの第４の実施形態を説明するケース蓋体を除去した状態の正面図である。
【図１１】同上のカード型記録媒体の収納ケースの第５の実施形態を説明する斜視図である。
【図１２】同上のカード型記録媒体の収納ケースの第６の実施形態を説明する斜視図である。
【図１３】同上のカード型記録媒体の収納ケースホルダの第１の実施形態を説明する携帯仕様時の斜視図である。
【図１４】図１３の収納ケースホルダへのカード型記録媒体の挿入、排出を説明する斜視図である。
【図１５】同上のカード型記録媒体の収納ケースホルダの第２の実施形態を説明する携帯仕様時の斜視図である。
【図１６】図１５の収納ケースホルダへのカード型記録媒体の挿入、排出を説明する斜視図である。
【図１７】同上の収納ケースホルダの第３の実施形態を説明する携帯仕様時の斜視図である。
【図１８】図１７の収納ケースホルダへのカード型記録媒体の挿入、排出を説明する斜視図である。
【図１９】同上の収納ケースホルダの第４の実施形態を説明する斜視図である。
【図２０】同上の収納ケースホルダの第５の実施形態を説明する携帯仕様時の斜視図である。
【図２１】図２０の収納ケースホルダへのカード型記録媒体の挿入、排出を説明する斜視図である。
【図２２】本発明のカード型記録媒体の収納ケースを備えた電子機器の実施の形態を説明する斜視図である。
【図２３】図２２の要部の縦断面側面図である。
【図２４】従来のカード型記録媒体の収納ケースの一例を説明する斜視図である。
【図２５】従来のカード型記録媒体の収納ケースの他の例を説明する斜視図である。
【符号の説明】
１はカード型記録媒体、１ａはカード型記録媒体の先端、１ｃはカード型記録媒体の一方の側部である一方の側面、１ｅはカード型記録媒体の後端、１ｆはカード型記録媒体の他方の側部である他方の側面、２は端子、６はカード型記録媒体の凹部、１１は収納ケース、１２は収納ケースのケース本体、１３は収納ケースのケース蓋体、１４は収納空間、１４ａは収納空間の一方の側部、１４ｂは収納空間の他方の側部、１５は挿入口、１６は収納空間の奥部、２１は弾性係合手段である弾性係合爪、２２は回転支点部、２６は弾性排出手段である第１の板ばね、２７は弾性排出手段である第２の板ばね、３２は弾性押圧手段である第３のばね部、３４、３６は結合手段である鳩尾状凸部、３５、３７は結合手段である鳩尾状凹部、４１は収納ケースホルダ、４２はホルダ本体、４３は蓋、５１は収納ケース連結部材、５２はカード類、５３はカードケース、６１、６２は開閉蓋、７１はホルダ、７２は止め金具、７３は係合穴、８１はホルダ本体、８３はホルダ蓋体、９１は電子機器、９２は接続用端子、９３はプリント配線基板である。
【図１】
0004432202.tif 000002
【図２】
0004432202.tif 000003
【図３】
0004432202.tif 000004
【図４】
0004432202.tif 000005
【図５】
0004432202.tif 000006
【図６】
0004432202.tif 000007
【図７】
0004432202.tif 000008
【図８】
0004432202.tif 000009
【図９】
0004432202.tif 000010
【図１０】
0004432202.tif 000011
【図１１】
0004432202.tif 000012
【図１２】
0004432202.tif 000013
【図１３】
0004432202.tif 000014
【図１４】
0004432202.tif 000015
【図１５】
0004432202.tif 000016
【図１６】
0004432202.tif 000017
【図１７】
0004432202.tif 000018
【図１８】
0004432202.tif 000019
【図１９】
0004432202.tif 000020
【図２０】
0004432202.tif 000021
【図２１】
0004432202.tif 000022
【図２２】
0004432202.tif 000023
【図２３】
0004432202.tif 000024
【図２４】
0004432202.tif 000025
【図２５】
0004432202.tif 000026